(57)【要約】【課題】衛生面、取扱性、使用性及び使用感の向上、塗布用充填物の保護を図る。【解決手段】本体１の先端側に先筒３を相対回転可能に装着し、この先筒３内に、内部の充填領域４ｘに塗布用充填物Ｌが充填されると共に先端部に吐出口４ｃを有し当該吐出口４ｃを通して吐出される塗布用充填物Ｌを被塗布部に塗布するための塗布部４ａを備えた充填部材４を進入させ、本体１と先筒３とが一方向に相対回転されると、第一の螺合部８の螺合作用が働き充填部材４が前進して使用位置に繰り出され、さらに一方向に相対回転されると、第一の螺合部８とは別の第二の螺合部９の螺合作用が働き充填部材４の吐出口４ｃから塗布用充填物Ｌが吐出されて使用状態にされ、本体１と先筒３とが一方向の反対方向に相対回転されると、第一の螺合部８の螺合作用が働き充填部材４が後退し、このように充填部材が進退する構成とすることで、当該充填部材４を先筒３から出没可能とする。【選択図】図３
2006305299.tif 000002
【特許請求の範囲】
【請求項１】
本体と、
この本体の先端側に相対回転可能に装着された先筒と、
この先筒内に進入し、内部が充填領域とされて塗布用充填物が充填されると共に、先端部に吐出口を有し当該吐出口を通して吐出される前記塗布用充填物を被塗布部に塗布するための塗布部を備えた充填部材と、を具備し、
前記本体と前記先筒とが一方向に相対回転されると、前記充填部材が前進し、さらに前記一方向に相対回転されると、前記充填部材の前記吐出口から前記塗布用充填物が吐出し、
前記本体と前記先筒とが前記一方向の反対方向である他方向に相対回転されると、前記充填部材が後退することを特徴とする塗布用充填物押出容器。
【請求項２】
前進することで前記充填領域の前記塗布用充填物を前記吐出口に向けて押し出す移動体と、
前記本体と前記先筒とが前記一方向である繰り出し方向／前記他方向である繰り戻し方向に相対回転されると先に螺合作用が働き、前記移動体を含む前記充填部材を前進／後退させると共に、前記充填部材が前進限に達すると螺合作用が停止する第一の螺合部と、
前記充填部材が前進限に達し前記第一の螺合部の螺合作用が停止した状態で前記本体と前記先筒とが前記一方向である繰り出し方向にさらに相対回転されると螺合作用が働き、前記移動体を前進させる第二の螺合部と、を具備したことを特徴とする請求項１記載の塗布用充填物押出容器。
【請求項３】
前記第一の螺合部の作動抵抗に比して前記第二の螺合部の作動抵抗を上げることにより、前記第一の螺合部の螺合作用が前記第二の螺合部の螺合作用より先に働くことを特徴とする請求項２記載の塗布用充填物押出容器。
【請求項４】
前記第二の螺合部に弾性力を付与する弾性部を有し、
この弾性部の弾性力を利用して前記第二の螺合部の作動抵抗を上げることを特徴とする請求項３記載の塗布用充填物押出容器。
【請求項５】
前記弾性部は、前記第二の螺合部を構成する雌螺子のその外周側に装着されたリング状の弾性体であることを特徴とする請求項４記載の塗布用充填物押出容器。
【請求項６】
前記第二の螺合部による螺合作用が働く際の前記本体と前記先筒との相対回転に従いクリック係合するクリック係合部を備えることを特徴とする請求項２〜５の何れか一項に記載の塗布用充填物押出容器。
【請求項７】
前記クリック係合部は、前記第二の螺合部による螺合作用が働く際の前記本体と前記先筒との繰り戻し方向の相対回転を規制し、繰り出し方向の相対回転のみを許容するラチェット機構を構成することを特徴とする請求項６記載の塗布用充填物押出容器。
【請求項８】
前記第一の螺合部は、前記本体と前記先筒とが繰り戻し方向に相対回転され先に働く当該第一の螺合部の螺合作用により前記移動体を含む前記充填部材が後退し前記塗布部が前記先筒内に収容される所定位置に達すると、螺合が解除されて前記第二の螺合部の螺合作用が働かないように前記本体と前記先筒とを空転させる一方で、
この螺合が解除された状態で前記本体と前記先筒とが前記繰り出し方向に相対回転されると螺合復帰することを特徴とする請求項２〜７の何れか一項に記載の塗布用充填物押出容器。
【請求項９】
前記本体内に収容され軸線方向に伸縮可能なバネ部を含む先筒押え部材を具備し、
前記先筒は、前記先筒押え部材のバネ部により後側に付勢された状態で当該先筒押え部材を介して前記本体に相対回転可能に装着されていることを特徴とする請求項２〜８の何れか一項に記載の塗布用充填物押出容器。
【請求項１０】
前記第一の螺合部は、前記本体と前記先筒とが繰り戻し方向に相対回転され先に働く当該第一の螺合部の螺合作用により前記移動体を含む前記充填部材が後退し前記塗布部が前記先筒内に収容される後退限に達すると螺合作用が停止し、
前記第二の螺合部は、前記充填部材が後退限に達し前記第一の螺合部の螺合作用が停止した状態で前記本体と前記先筒とが繰り戻し方向にさらに相対回転されると螺合作用が働いて前記移動体を後退させることを特徴とする請求項２〜６及び９の何れか一項に記載の塗布用充填物押出容器。
【請求項１１】
前記第二の螺合部のリードに比して前記第一の螺合部のリードが大きくされていることを特徴とする請求項２〜１０の何れか一項に記載の塗布用充填物押出容器。
【発明の詳細な説明】
【技術分野】
【０００１】
本発明は、塗布用充填物を押し出して使用するための塗布用充填物押出容器に関する。
【背景技術】
【０００２】
従来、容器に内蔵された例えば液状充填物を始めとした塗布用充填物を押し出して使用するための塗布用充填物押出容器（移動体繰出装置）として、塗布用充填物が充填される充填領域を内部に備える本体筒と、この本体筒の後端部に相対回転可能に設けられる操作筒と、本体筒及び操作筒内に収容され当該操作筒に対して回転不能且つ軸線方向移動可能に設けられた移動体と、本体筒側の螺子と移動体側の螺子により構成された螺合部と、を具備し、本体筒と操作筒が相対回転されると螺合部の螺合作用により移動体が前進し、この移動体の先端に設けられているピストンが前進することで塗布用充填物が先端側に押し出され、本体筒の先端の開口を通して吐出される塗布用充填物を塗布部（塗布体）を介して被塗布部に塗布することが可能な塗布用充填物押出容器が知られている（例えば、特許文献１参照）。
【特許文献１】特開２００４−８９６８７号公報
【発明の開示】
【発明が解決しようとする課題】
【０００３】
ここで、このような容器にあっては、塗布部が剥き出しなため、衛生面の向上が求められ、加えて、取扱性、使用性及び使用感の向上、塗布用充填物の保護が一層求められている。
【０００４】
本発明は、このような課題を解決するために成されたものであり、衛生面の向上、取扱性、使用性及び使用感の向上、塗布用充填物の保護が図られる塗布用充填物押出容器を提供することを目的とする。
【課題を解決するための手段】
【０００５】
本発明による塗布用充填物押出容器は、本体と、この本体の先端側に相対回転可能に装着された先筒と、この先筒内に進入し、内部が充填領域とされて塗布用充填物が充填されると共に、先端部に吐出口を有し当該吐出口を通して吐出される塗布用充填物を被塗布部に塗布するための塗布部を備えた充填部材と、を具備し、本体と先筒とが一方向に相対回転されると、充填部材が前進し、さらに一方向に相対回転されると、充填部材の吐出口から塗布用充填物が吐出し、本体と先筒とが一方向の反対方向である他方向に相対回転されると、充填部材が後退することを特徴としている。
【０００６】
このような塗布用充填物押出容器によれば、本体の先端側に先筒が相対回転可能に装着され、この先筒内に、内部の充填領域に塗布用充填物が充填されると共に先端部に吐出口を有し当該吐出口を通して吐出される塗布用充填物を被塗布部に塗布するための塗布部を備えた充填部材が進入する構成とされ、本体と先筒とが一方向に相対回転されると、充填部材が前進して使用位置に繰り出され、さらに一方向に相対回転されると、充填部材の吐出口から塗布用充填物が吐出して使用状態にされ、本体と先筒とが一方向の反対方向に相対回転されると、充填部材が後退する。このように、塗布用充填物が充填された充填部材が進退するため、充填部材が使用時には先筒内から出現し使用後には先筒内に没入する構成とすることができる。このため、衛生面の向上及び塗布用充填物の先筒による保護が図られると共に、使用後には全長が短くされコンパクト化される一方で使用時には適度な全長とされ取扱性及び使用性（使いやすさ）が向上され、加えて、例えば口紅等の棒状化粧料容器と同じ感覚での使用が可能とされ使用感が向上される。
【０００７】
ここで、上記作用を好適に奏する塗布用充填物押出容器の構成としては、具体的には、  前進することで充填領域の塗布用充填物を吐出口に向けて押し出す移動体と、本体と先筒とが一方向である繰り出し方向／他方向である繰り戻し方向に相対回転されると先に螺合作用が働き、移動体を含む充填部材を前進／後退させると共に、充填部材が前進限に達すると螺合作用が停止する第一の螺合部と、充填部材が前進限に達し第一の螺合部の螺合作用が停止した状態で本体と先筒とが一方向である繰り出し方向にさらに相対回転されると螺合作用が働き、移動体を前進させる第二の螺合部と、を具備する構成が挙げられる。
【０００８】
このような塗布用充填物押出容器によれば、本体と先筒とが繰り出し方向に相対回転されると、先に第一の螺合部の螺合作用が働き、移動体を含む充填部材が前進し、充填部材が前進限である使用位置に繰り出されると第一の螺合部の螺合作用が停止し、さらに本体と先筒とが繰り出し方向に相対回転されると、第二の螺合部の螺合作用が働き、今度は移動体が前進し充填部材内の塗布用充填物が吐出口から押し出されて使用状態にされ、使用後に、本体と先筒とが繰り戻し方向に相対回転されると、先に第一の螺合部の螺合作用が働き、移動体を含む充填部材が後退するようになる。
【０００９】
ここで、第一の螺合部の螺合作用が第二の螺合部の螺合作用より先に働く好適な構成としては、具体的には、第一の螺合部の作動抵抗に比して第二の螺合部の作動抵抗を上げる構成が挙げられる。
【００１０】
また、第二の螺合部の作動抵抗を上げる好適な構成としては、具体的には、第二の螺合部に弾性力を付与する弾性部を有し、この弾性部の弾性力を利用する構成が挙げられる。
【００１１】
ここで、弾性部の好適な構成としては、具体的には、第二の螺合部を構成する雌螺子のその外周側に装着されたリング状の弾性体が挙げられる。
【００１２】
また、第二の螺合部による螺合作用が働く際の本体と先筒との相対回転に従いクリック係合するクリック係合部を備えていると、相対回転の度合いや移動体の移動具合が、クリック係合によるクリック感によって使用者に感知される。
【００１３】
ここで、クリック係合部は、第二の螺合部による螺合作用が働く際の本体と先筒との繰り戻し方向の相対回転を規制し、繰り出し方向の相対回転のみを許容するラチェット機構であっても良い。
【００１４】
また、第一の螺合部は、本体と先筒とが繰り戻し方向に相対回転され先に働く当該第一の螺合部の螺合作用により移動体を含む充填部材が後退し塗布部が先筒内に収容される所定位置に達すると、螺合が解除されて第二の螺合部の螺合作用が働かないように本体と先筒とを空転させる一方で、この螺合が解除された状態で本体と先筒とが繰り出し方向に相対回転されると螺合復帰する構成であるのが好ましい。
【００１５】
このような構成を採用した場合、充填部材が前進限に達し移動体の前進により塗布用充填物が吐出口から吐出されて使用状態にされた後に、本体と先筒とが繰り戻し方向に相対回転されると、先に働く第一の螺合部の螺合作用により移動体を含む充填部材が後退し、塗布部が先筒内に収容される所定位置へ達すると、第一の螺合部は螺合が解除されて第二の螺合部の螺合作用が働かないように本体と先筒とが空転する。このため、この状態で移動体は後退することが無く、塗布用充填物は吐出口の辺りに進出した状態にある。そして、本体と先筒とが繰り出し方向に相対回転されると、第一の螺合部が螺合復帰して移動体を含む充填部材が前進し塗布部が先筒の先端の開口から出現する。従って、充填部材が前進限に達し本体と先筒との繰り出し方向へのさらなる相対回転により移動体が前進すると、吐出口の辺りに進出した状態にある塗布用充填物が即座に使用状態にされる。このため、使用性（使いやすさ）が向上される。
【００１６】
また、本体内に収容され軸線方向に伸縮可能なバネ部を含む先筒押え部材を具備し、先筒は、先筒押え部材のバネ部により後側に付勢された状態で当該先筒押え部材を介して本体に相対回転可能に装着されていると、先筒押え部材のバネ部により、本体と先筒との相対回転時に好感覚な回転抵抗が与えられると共に、例えば容器の落下等により作用する衝撃や振動等の外力が緩衝され塗布用充填物の吐出口からの漏出が防止され且つ部材の破壊が防止される。
【００１７】
また、第一の螺合部は、本体と先筒とが繰り戻し方向に相対回転され先に働く当該第一の螺合部の螺合作用により移動体を含む充填部材が後退し塗布部が先筒内に収容される後退限に達すると螺合作用が停止し、第二の螺合部は、充填部材が後退限に達し第一の螺合部の螺合作用が停止した状態で本体と先筒とが繰り戻し方向にさらに相対回転されると螺合作用が働いて移動体を後退させる構成であると、この移動体の後退により、充填部材の吐出口から塗布用充填物が充填領域に吸引されると共に充填部材の吐出口より内側に所定の空間が形成される。従って、塗布部に残る塗布用充填物が少なくされて経済的であると共に、充填領域に充填された塗布用充填物及び当該塗布用充填物に混入する空気が、温度変化や気圧の変化により膨張しても、上記吐出口より内側に設けられた所定の空間により、塗布用充填物の吐出口からの漏出が防止される。
【００１８】
また、第二の螺合部のリードに比して第一の螺合部のリードが大きく（粗く）されていると、第一の螺合部の螺合作用を第二の螺合部の螺合作用より先に働かすことができると共に、本体と先筒との繰り出し方向への相対回転により、第一の螺合部の螺合作用が働く充填部材が、大きいリードに従い素早く使用位置に繰り出され、さらなる本体と先筒との繰り出し方向への相対回転により、第二の螺合部の螺合作用が働く移動体が、小さい（細かい）リードに従いゆっくりと繰り出され塗布用充填物が適度に充填部材の吐出口から吐出して使用状態にされ、使用後には、本体と先筒との繰り戻し方向への相対回転により、充填部材が、大きいリードに従い素早く繰り戻され、その結果、使用性（使いやすさ）が一層向上される。ここで、リードとは、螺子を一回転した時に軸方向に進む距離のことである。
【発明の効果】
【００１９】
このように本発明による塗布用充填物押出容器によれば、塗布用充填物が充填された充填部材が進退するため、充填部材が使用時には先筒内から出現し使用後には先筒内に没入し収容される構成とすることができ、その結果、衛生面の向上及び塗布用充填物の先筒による保護を図ることが可能になると共に、使用後には全長が短くされコンパクト化される一方で使用時には適度な全長とされ取扱性及び使用性（使いやすさ）を向上することが可能となり、加えて、例えば口紅等の棒状化粧料容器と同じ感覚での使用が可能とされ使用感を向上することが可能となる。
【発明を実施するための最良の形態】
【００２０】
以下、本発明による塗布用充填物押出容器の好適な実施形態について図１〜図３４を参照しながら説明する。なお、各図において、同一の要素には同一符号を付し、重複する説明は省略する。
【００２１】
図１〜図２８は、本発明の第一実施形態を、図２９は、本発明の第二実施形態を、図３０は、本発明の第三実施形態を、図３１は、本発明の第四実施形態を、図３２〜図３４は、本発明の第五実施形態を各々示すもので、図１〜図５は、本発明の第一実施形態に係る塗布用充填物押出容器の各状態を示す各縦断面図、図６〜図９は、本体筒を示す各図、図１０〜図１３は、先筒押え部材を示す各図、図１４は、先筒を示す図、図１５〜図１８は、ピストン用移動体を示す各図、図１９〜図２２は、充填部材用移動体を示す各図、図２３は、ピストンを示す図、図２４及び図２５は、充填部材を示す各図、図２６〜図２８は、塗布用充填物押出容器の組立手順を示す各図であり、本実施形態の塗布用充填物押出容器は、塗布用充填物を収容すると共に適宜使用者の操作により押し出し可能とするものである。
【００２２】
ここでは、塗布用充填物として、例えば、リップグロス、リップ、アイカラー、アイライナー、美容液、洗浄液、ネールエナメル、ネールケア溶液、ネールリムーバー、マスカラ、アンチエイジング、ヘアーカラー、頭髪用化粧料、オーラルケア、マッサージオイル、角栓ゆるめ液、ファンデーション、コンシーラー、スキンクリーム、マーキングペン等の筆記用具等のインク、液状の医薬品、泥状物等を始めとした液状や、ゼリー状、ゲル状、ペースト状を含む練り状等の半固体や軟固形状等を用いることが可能である。
【００２３】
図１に示すように、塗布用充填物押出容器１００は、容器の後半部を形成する本体筒（本体）１と、容器の前半部を形成し先筒押え部材２を介して本体筒１に相対回転可能に連結された先筒３とを外形構成として具備し、以下、容器内に、塗布用充填物Ｌが充填される充填領域４ｘを内部に備えた充填部材４と、この充填部材４を回転不能且つ軸線方向移動不能に連結し本体筒１と先筒３とが相対回転されると前進／後退する充填部材用移動体５と、この充填部材用移動体５の前進／後退に伴い前進／後退し充填部材４が前進限に達し本体筒１と先筒３とがさらに同方向に相対回転されると前進するピストン用移動体（移動体）６と、このピストン用移動体６の先端部に装着されて充填領域４ｘの後端を形成するピストン７と、充填部材用移動体５の移動を可能とする第一の螺合部８（図２〜図４参照）と、ピストン用移動体６の移動を可能とする第二の螺合部９とを概略備えている。
【００２４】
本体筒１は、図６〜図９に示すように、有底円筒状に構成され、その先端側の内周面に、図７及び図８に示すように、先筒押え部材２を装着するための環状凸凹部１ａを備えている。
【００２５】
この本体筒１には、図６〜図９に示すように、その底部中央に、先端側に向かうように軸体１ｂが立設されている。この軸体１ｂは、円柱体の外周面に、周方向に沿って六等配の位置に半径方向外方に突出するように配置されて軸線方向に延びる突条１ｃを備える横断面非円形形状とされ、この突条１ｃが、回り止め部（回り止め機構）５０の一方を構成する回り止めとされている。この本体筒１の底部には、軸体１ｂを囲繞するようにして、本体筒１の軸線方向途中まで延びる円筒部１ｄが立設されている。そして、図８及び図９に示すように、本体筒１の円筒部１ｄと軸体１ｂとの間の底部には、周方向に沿って三等配の位置に、後述の組立治具を挿入するための開口１ｅが設けられている。
【００２６】
また、本体筒１は、図６〜図９に示すように、その内周面に、底部から先端側に向かって円筒部１ｄと略同程度に延びる突条１ｆを周方向に沿って八等配の位置に備えている。この突条１ｆは、先筒３の後端面を当接させるためのものである。なお、本体筒１の底部における軸体１ｂ周りの構成に関しては、第五実施形態で述べる。
【００２７】
先筒３は、図１４に示すように、後端部に鍔部３ａを有する円筒状に構成され、その内周面には、その軸線方向略中央から後端部の近傍に亘って、第一の螺合部（螺合機構）８の一方を構成する雌螺子としての螺旋溝（筒側の螺子）３ｂが設けられている。この先筒３の螺旋溝３ｂの先端３ｆが、後述の螺合突起５ｅの前進限とされ、充填部材４の前進限に対応するものとされている。
【００２８】
また、先筒３における螺旋溝３ｂの後端から先筒３の後端に亘る内周面３ｃは、螺旋溝３ｂの径と同一径とされ、この内周面３ｃと螺旋溝３ｂの後端とが面一に連通すると共に、この内周面３ｃと当該内周面３ｃより前側の内周面で螺旋溝３ｂを除く内周面３ｄとの間の境界部に、内周面３ｄ側を高くする（内周面３ｄ側の内径が小さくなる）段差面３ｅを有する構成とされている。
【００２９】
この先筒３は、図１に示すように、その後半部が本体筒１に内挿され、その鍔部３ａの後側の面が本体筒１の突条１ｆの先端面に突き当てられている。
【００３０】
先筒押え部材２は、樹脂による射出成形品とされ、図１０〜図１３に示すように、先端側に鍔部２ａを有する円筒状に構成されている。この先筒押え部材２は、その鍔部２ａより後側の外周面に、本体筒１の環状凸凹部１ａに軸線方向に係合するための環状凹凸部２ｂを備えると共に、この環状凹凸部２ｂより後側の外周面に、軸線方向に延び本体筒１の内周面に当接するための突条２ｃを周方向に沿って八等配の位置に備え、突条２ｃより後側の円筒部分が、軸線方向に伸縮可能なバネ部２ｄとされてこれより前側の部分と一体化されている。また、先筒押え部材２には、その鍔部２ａより前側の外周面の周方向に沿って三等配の位置に、図１に示すキャップ１０を着脱可能に軸線方向に係止するための突部（所謂ダボ）２ｅが設けられている。
【００３１】
この先筒押え部材２は、図１に示すように、その鍔部２ａより後側の部分が本体筒１に内挿されると共に先筒３に外挿され、鍔部２ａの後端面が本体筒１の先端面に突き当てられ、その環状凹凸部２ｂが本体筒１の環状凸凹部１ａに係合することで、本体筒１に相対回転不能（相対回転可能でも可）且つ軸線方向移動不能に装着されている。
【００３２】
この状態で、先筒３は、その鍔部３ａの前側の面が先筒押え部材２の後端面に押し当てられて当該先筒押え部材２のバネ部２ｄにより後側に付勢され、その鍔部３ａが先筒押え部材２と本体筒１の突条１ｆとの間に挟まれるようにして、本体筒１に対し先筒押え部材２を介して相対回転可能に装着されている。従って、先筒３と本体筒１には、より良い回転抵抗が発生する。
【００３３】
ピストン用移動体６は、図１５〜図１７に示すように、先端側に鍔部６ａを有する円筒状に構成され、その鍔部６ａより後側から後端部に亘る外周面に、第二の螺合部（螺合機構）９の一方を構成する雄螺子６ｂを備えている。また、ピストン用移動体６の鍔部６ａより前側の外周面には、ピストン７を装着するための環状突部６ｃが形成されている。また、図１６〜図１８に示すように、ピストン用移動体６の先端から後端に亘る内周面には、周方向に沿って六等配の位置に、放射状に内側に突出するように配置され軸線方向に延びる突条６ｄが設けられ、この突条６ｄが、回り止め部（回り止め機構）５０の他方を構成する回り止めとされている。なお、ピストン用移動体６の後端部の構成に関しては、第五実施形態で述べる。
【００３４】
このピストン用移動体６は、図１に示すように、本体筒１の軸体１ｂに外挿され、その突条６ｄが本体筒１の軸体１ｂの突条１ｃ，１ｃ間に係合することで、本体筒１に回転不能且つ軸線方向移動可能に装着されている。
【００３５】
ピストン７は、例えばプラスチック等の樹脂より成り、図２３に示すように、先端に向けて先細りとされた釣り鐘形状を呈し、後端面の略中央から先端側に向けて所定に延びる凹部７ａを備えると共に、この凹部７ａの後部側に、ピストン用移動体６の環状突部６ｃに軸線方向に係合するための環状溝部７ｂを備えている。
【００３６】
このピストン７には、その後端部の外周面に、充填部材４の内周面に密着し水密性を確保するための環状突部７ｃが設けられていると共に、凹部７ａの周囲の位置に、後端面から先端側に向けて所定に延びる環状凹部７ｄが設けられている。この環状凹部７ｄは、環状突部７ｃが充填部材４の内周面に密着して移動する際に、ピストン７における環状凹部７ｄより外周側の部分を軸線に向かって（内側に向かって）変形し易くし、当該ピストン７が充填部材４の内周面から過剰な抵抗を受けずに移動するためのものである。
【００３７】
このピストン７は、図１に示すように、ピストン用移動体６に外挿され、その後端面がピストン用移動体６の鍔部６ａの前側の面に当接し、その環状溝部７ｂが、ピストン用移動体６の環状突部６ｃに係合することで、移動体６に回転可能（回転不能でも可）且つ軸線方向移動不能に装着されている。この状態で、ピストン７の凹部７ａの前半部には、凹部７ａに進入した本体筒１の軸体１ｂの先端部を収容するための空間７ｅが画成されている。なお、ピストン用移動体６とピストン７は一体に成形し一つの棒状とすることも可能である。
【００３８】
充填部材用移動体５は、図１９〜図２１に示すように、先端の外径小径部５ａ、この外径小径部５ａの後端に続く外径中径部５ｂ、この外径中径部５ｂの後端に続く外径大径部５ｃを備える段付き円筒部の後端に、軸線方向に伸縮可能なバネ部（充填部材側バネ部）５ｄを連設して成る樹脂による射出成形品とされている。この充填部材用移動体５には、図１９〜図２２に示すように、その外径大径部５ｃの外周面の周方向に沿って四等配の位置に、第一の螺合部（螺合機構）８の他方を構成する雄螺子としての螺合突起（充填部材側の螺子）５ｅが設けられている。
【００３９】
また、充填部材用移動体５には、その外径中径部５ｂの外周面の周方向に沿って四等配の位置に、突条５ｆが軸線方向に所定長延びるように形成されていると共に、この突条５ｆ上に突部５ｇが周方向に沿って円弧状に形成されている。これらの突条５ｆ及び突部５ｇは、充填部材４を装着するためのものである。図１９及び図２０に示すように、突条５ｆの先端部は、充填部材４の後述の突条４ｅ，４ｅ間へ容易に進入するように、全て一方向に傾斜する傾斜部に構成されている。
【００４０】
また、充填部材用移動体５には、図１９〜図２２に示すように、その外径小径部５ａの先端から外径中径部５ｂ近くまで延び内外を連通するスリット５ｎが、軸線を挟んだ両側に一対設けられている。
【００４１】
図２１に示すように、充填部材用移動体５のバネ部５ｄより前側の内周面は、外径小径部５ａの先端から外径中径部５ｂの先端側に亘って小径内周面５ｈとされ、この小径内周面５ｈの後端から外径大径部５ｃの後端に亘って大径内周面５ｉとされている。そして、図１９及び図２１に示すように、充填部材用移動体５の小径内周面５ｈの前半部には、第二の螺合部（螺合機構）９の他方を構成する雌螺子５ｊが、スリット５ｎ，５ｎを横切り半円弧状を成すようにして設けられている。また、図２１に示すように、充填部材用移動体５の外径大径部５ｃの後端面には、大径内周面５ｉより大径を成し前側に凹む凹部５ｋが設けられている。この凹部５ｋは、後述の組立時に利用される。
【００４２】
また、充填部材用移動体５には、雌螺子５ｊの外周側である外径小径部５ａにおける先端側の外周面に、図１に示すＯリング（弾性部；リング状の弾性体）１１を装着するための溝部５ｍが、スリット５ｎ，５ｎを横切るようにして周方向に沿って半円弧状を成すようにして形成されている。
【００４３】
この充填部材用移動体５は、図１に示すように、ピストン用移動体６に外挿されると共に先筒３の後部に内挿され、その雌螺子５ｊがピストン用移動体６の雄螺子６ｂに螺合した状態で、その外径小径部５ａの先端面がピストン用移動体６の鍔部６ａの後端面に突き当てられ、そのバネ部５ｄが本体筒１の円筒部１ｄを囲繞すると共に当該バネ部５ｄの後端面が本体筒１の底部に当接し、その螺合突起５ｅが先筒３の螺旋溝３ｂの後端から外れて螺合が解除された状態で先筒３の段差面３ｅに対してバネ部５ｄにより押し付けられた状態とされている。
【００４４】
また、充填部材用移動体５の溝部５ｍにはＯリング１１が嵌着され、このＯリング１１の弾性力によって、スリット５ｎ，５ｎにより割られている充填部材用移動体５の外径小径部５ａが締め付けられ、これにより、充填部材用移動体５の雌螺子５ｊ及びピストン用移動体６の雄螺子６ｂより構成される第二の螺合部９の作動抵抗が上げられ、充填部材用移動体５の螺合突起５ｅ及び先筒３の螺旋溝３ｂより構成されることになる（図１では螺合が解除されて螺合待機状態にある）第一の螺合部８の作動抵抗に比して高くされている。
【００４５】
なお、ここでは、Ｏリング１１を用いているが、他のリング状の弾性体として、例えばＣリング等を用いても良い。また、充填部材用移動体５の雌螺子５ｊにピストン用移動体６の雄螺子６ｂを挿入すると、スリット５ｎにより雌螺子５ｊの内径が広がり螺合が可能となる構成とすれば、当該雌螺子５ｊ及びスリット５ｎを有する外径小径部５ａが、第二の螺合部９に弾性力を付与する弾性部となり、この場合には、リング状の弾性体は無くても良い。
【００４６】
そして、充填部材用移動体５の螺合突起５ｅ及び先筒３の螺旋溝３ｂより構成されることになる第一の螺合部８（図２参照）、充填部材用移動体５の雌螺子５ｊ及びピストン用移動体６の雄螺子６ｂより構成される第二の螺合部９にあっては、図１４及び図２１に示すように、第二の螺合部９のリードに比して第一の螺合部８のリードが大きくされており、このような第一、第二の螺合部８，９、ピストン用移動体６の突条６ｄ及び本体筒１の軸体１ｂの突条１ｃより構成される回り止め部５０を備えた押出機構、充填部材用移動体５、ピストン用移動体６、ピストン７が、本体筒１、先筒押え部材２及び先筒３から成る本体側筒体に内蔵され本体側組立体４０が構成されている（図２６参照）。
【００４７】
充填部材４は、図１に示すように、内部の充填領域４ｘに塗布用充填物Ｌを充填するためのものであると共に、当該塗布用充填物Ｌを使用者による操作に従って先端部から吐出するためのものである。この充填部材４の材質は、ポリエチレンテレフタレート（ＰＥＴ）やポリプロピレン（ＰＰ）等の射出成形されたプラスチックであることが好ましく、塗布用充填物Ｌの色調や充填状況を確認できるように透明材や塗布用充填物Ｌの色を施した着色材を用いるのが好ましい。
【００４８】
この充填部材４は、図２４及び図２５に示すように、円筒状を成すと共に先端が先細りして閉じられる形状とされ、その先端部の外面４ａが、所定の方向に傾斜する傾斜面とされている。また、この充填部材４の先端部には、その外面４ａの裏面に、外面４ａに対して一定の肉厚を隔てて傾斜面とされる内面４ｂが形成されていると共に、当該内面４ｂと外面４ａとを連通する吐出口４ｃが設けられている。そして、傾斜する外面４ａが、吐出口４ｃを通して吐出される塗布用充填物Ｌを被塗布部に塗布するための塗布部とされている。この塗布部４ａは、例えば皮膚等の被塗布部に対する塗布に好適な傾斜面とされている。なお、吐出口４ｃの個数は、複数であっても良い。
【００４９】
また、充填部材４の後部には、内外を連通する環状のスリット４ｄが設けられていると共に、当該後部の内周面には、充填部材４の後端近傍から軸線方向に所定長延び、スリット４ｄを横切る突条４ｅが、周方向に沿って等間隔に離間して複数設けられている。従って、スリット４ｄは、突条４ｅが横切る部分が溝４ｆとされ、突条４ｅ，４ｅ間の部分が開口４ｇとされる。この開口４ｇは、充填部材用移動体５の突部５ｇに軸線方向に係合するためのもので、突条４ｅは、充填部材用移動体５の突条５ｆに回転方向に係合するためのものである。この突条４ｅの後端部は、充填部材用移動体５の突条５ｆが、突条４ｅ，４ｅ間へ容易に進入するように、全て一方向に傾斜する傾斜部に構成されている。さらに、充填部材４には、その先端側の外周面に、後述の組立治具を先端側から外挿して突き当てるための外周段差面４ｈが設けられている。
【００５０】
この充填部材４は、図１に示すように、先筒３に内挿されると共に、その後部が充填部材用移動体５に外挿され、その突条４ｅ，４ｅ間に、充填部材用移動体５の突条５ｆが進入し係合すると共に、その開口４ｇに、充填部材用移動体５の突部５ｇが進入し係合することで、充填部材用移動体５に回転不能且つ軸線方向移動不能に装着されて当該充填部材用移動体５と一体化され、この状態で、先筒３内に収容されている。そして、キャップ１０が先筒押え部材２の突部２ｅに着脱可能に係合することで、充填部材４を収容した先筒３が覆われ保護されている。
【００５１】
このような構成を有する塗布用充填物押出容器１００を組み立てる場合には、先ず、ピストン用移動体６に充填部材用移動体５を螺子込み、次いで、充填部材用移動体５にＯリング１１を装着し、次いで、ピストン用移動体６にピストン７を装着し、次いで、充填部材用移動体５を先筒３に螺子込み、次いで、先筒３に先筒押え部材２を外挿し、次いで、先筒押え部材２を、ピストン用移動体６が本体筒１の軸体１ｂに係合するようにして本体筒１に内挿して装着することで、図２６に示す本体側組立体４０が得られる。
【００５２】
なお、図２６に示す本体側組立体４０にあっては、後述の図２８に示す組み立てに対応させるように、充填部材用移動体５の螺合突起５ｅが、先筒３の螺旋溝３ｂの先端３ｆに位置し、充填部材用移動体５が前進限に位置する状態としているが、後述の図２７に示す組み立てに対応させる場合には、充填部材用移動体５の螺合突起５ｅが、先筒３の螺旋溝３ｂの後端から外れて螺合が解除されてバネ部５ｄにより先筒３の段差面３ｅに対して押し付けられた状態とする。
【００５３】
一方、図２６に示すように、充填部材４にあっては、吐出口４ｃをシール１２で塞ぎ逆さにした状態で、充填領域４ｘに所定量の塗布用充填物Ｌを充填し満たして充填部材４の先端内に空間が無い状態とする。そして、この塗布用充填物Ｌが充填された充填部材４を、本体側組立体４０の先端側に内挿し充填部材用移動体５に装着する。
【００５４】
そして、充填部材用移動体５の螺合突起５ｅが、先筒３の螺旋溝３ｂの後端から外れて螺合が解除されてバネ部５ｄにより先筒３の段差面３ｅに対して押し付けられている場合にあっては、図２７に示すように、下部治具１３の円筒状立設部１３ａを先筒３に内挿すると共に充填部材４に外挿し、この円筒状立設部１３ａの上端面を充填部材４の外周段差面４ｈに当接させると共に、上部治具１４の下端面を本体筒１の後端面に当接させ、上部治具１４を所定に下降又は下部治具１３を所定に上昇させる。すると、充填部材用移動体５の外径大径部５ｃの凹部５ｋに本体筒１の円筒部１ｄが進入し半径方向に位置決めされて当接した状態となり、充填部材４の突条４ｅ，４ｅ間に、充填部材用移動体５の突条５ｆが進入して回転方向に係合すると共に、充填部材４の開口４ｇに、充填部材用移動体５の突部５ｇが進入して軸線方向に係合して、充填部材用移動体５と充填部材４とが一体化される。この時、充填部材４は、その内周面が、ピストン７の水密性を確保するための環状突部７ｃに摺接しながら、充填部材用移動体５に係合される。
【００５５】
次いで、治具１３，１４を取り外すと、充填部材用移動体５のバネ部５ｄの付勢力により、充填部材用移動体５のバネ部５ｄより前側の部分、充填部材用移動体５に連結されたピストン用移動体６及び充填部材４が共にバネ部５ｄの撓み分前進し、充填部材用移動体５の螺合突起５ｅが、バネ部５ｄにより先筒３の段差面３ｅに対して押し付けられた状態とされ、最後にシール１２を剥がせば、図１に示す初期状態の塗布用充填物押出容器１００が得られる。この初期状態の塗布用充填物押出容器１００にあっては、先筒３内に充填部材４が収容されていると共に、ピストン用移動体６の後端面は、本体筒１の底部近傍にある。
【００５６】
また、充填部材４が前進限に達している場合にあっては、図２８に示すように、下部治具１５の円筒状立設部１５ａを充填部材４に外挿し、この円筒状立設部１５ａの上端面を充填部材４の外周段差面４ｈに当接させると共に、上部治具１６の下方に延びる複数の突部１６ａを、本体筒１の開口１ｅに各々通して充填部材用移動体５の後端面に当接させ、上部治具１６を所定に下降又は下部治具１５を所定に上昇させる。すると、図２７で説明したのと同様に充填部材用移動体５と充填部材４とが一体化され、次いで、治具１５，１６を取り外し、本体筒１と先筒３とを繰り戻し方向（繰り出し方向である一方向の反対方向）に相対回転させれば、詳しくは後述するが、充填部材用移動体５、充填部材用移動体５に連結されたピストン用移動体６及び充填部材４が共に後退し、充填部材用移動体５の後端面が本体筒１の底部に当接すると、充填部材用移動体５の螺合突起５ｅが、先筒３の螺旋溝３ｂの後端から外れて螺合が解除され、最後にシール１２を剥がせば、初期状態の塗布用充填物押出容器が得られる。
【００５７】
このように構成された塗布用充填物押出容器１００によれば、図２６に示すように、塗布用充填物Ｌが充填された充填部材４が、本体側組立体４０の先端側に挿入されて装着される構成のため、塗布用充填物Ｌを充填部材４に充填後の組み立てが容易であると共に、この塗布用充填物Ｌが、充填部材４の先端の内側と本体側組立体４０のピストン７との間の充填領域４ｘに、十分に（一杯に）満たされた状態とされている。
【００５８】
そして、塗布用充填物押出容器は、図１に示す初期状態の塗布用充填物押出容器１００として使用者に購買され、使用者によりキャップ１０が取り外されて本体筒１と先筒３とが繰り出し方向（一方向）に相対回転されると、第二の螺合部９の作動抵抗が高く先筒３と充填部材用移動体５とが相対回転するため、先筒３の螺旋溝３ｂの後端から外れて螺合が解除されバネ部５ｄにより先筒３の段差面３ｅに対して押し付けられている充填部材用移動体５の螺合突起５ｅが、先筒３の螺旋溝３ｂに螺合し第一の螺合部８の螺合作用が作動する。
【００５９】
この繰り出し方向の相対回転が続けられると、前述したように、第一の螺合部８の作動抵抗に比して第二の螺合部９の作動抵抗が高くされているため、先に第一の螺合部８の螺合作用が働き、本体筒１の軸体１ｂの突条１ｃ及びピストン用移動体６の突条６ｄにより構成される回り止め部５０との協働により、充填部材用移動体５及び充填部材４と共にピストン用移動体６及びピストン７が前進し、充填部材４及びその塗布部４ａが先筒３の先端の開口から出現し、充填部材４は、図２に示すように、充填部材用移動体５の螺合突起５ｅが先筒３の螺旋溝３ｂの先端３ｆに位置する前進限まで前進する。
【００６０】
この時、第二の螺合部９のリードに比して第一の螺合部８のリードが大きくされているため、充填部材４は、第一の螺合部８の大きいリードに従い素早く前進限である使用位置に達する。そして、充填部材用移動体５の螺合突起５ｅは、先筒３の螺旋溝３ｂの先端３ｆに達すると前進が阻止され、第一の螺合部８の螺合作用が停止する。
【００６１】
続けて本体筒１と先筒３とが繰り出し方向へ相対回転されると、第一の螺合部８の螺合作用が停止しているため、第二の螺合部９の螺合作用が働き、回り止め部５０との協働により、図３に示すように、ピストン用移動体６及びピストン７が前進する。
【００６２】
この時、第一の螺合部８のリードに比して第二の螺合部９のリードが小さくされているため、ピストン７は第二の螺合部９の小さいリードに従いゆっくりと繰り出され塗布用充填物Ｌが適度に充填部材４の吐出口４ｃから吐出して使用状態にされる。
【００６３】
また、前述したように、塗布用充填物Ｌが、充填部材４の先端の内側とピストン７との間の充填領域４ｘに、十分に満たされた状態とされているため、相対回転を必要以上に繰り返すこと無く迅速に（直ちに）、図３に示すように、塗布用充填物Ｌが吐出口４ｃから吐出される。
【００６４】
そして、本体筒１と先筒３との繰り出し方向への相対回転により、図４に示すように、ピストン７が最大に前進して充填部材４の先端部の内面４ｂに当接すると、充填領域４ｘの塗布用充填物Ｌが殆ど使い切られる。
【００６５】
使用後にあって、図３に示すようにピストン７が前進限に達していない状態、又は、図４に示すようにピストン７が前進限に達した状態で、本体筒１と先筒３とが繰り戻し方向（繰り出し方向とは逆方向）へ相対回転されると、前述したように、第一の螺合部８の作動抵抗に比して第二の作動抵抗が高くされているため、先に第一の螺合部８の螺合作用が働き、回り止め部５０との協働により、充填部材用移動体５及び充填部材４と共にピストン用移動体６及びピストン７が後退し、充填部材４及びその塗布部４ａが先筒３の先端の開口から没入する。
【００６６】
この時、第二の螺合部９のリードに比して第一の螺合部８のリードが大きくされているため、充填部材４は、第一の螺合部８の大きいリードに従い素早く繰り戻される。そして、塗布部４ａが先筒３内の収容位置に繰り戻されると、図５に示すように、充填部材用移動体５の後端面が本体筒１の底部に当接し、充填部材用移動体５の螺合突起５ｅが、先筒３の螺旋溝３ｂの後端から外れて螺合が解除されてバネ部５ｄにより先筒３の段差面３ｅに対して押し付けられる状態とされる。
【００６７】
従って、この状態で、本体筒１と先筒３とが繰り戻し方向にさらに相対回転されても本体筒１と先筒３とは空転し、第二の螺合部９の螺合作用は働くことが無く、ピストン７は後退せず、塗布用充填物Ｌは吐出口４ｃの辺りに進出した状態にある（図１参照）。なお、図５に示す塗布用充填物押出容器１００は、前進限に達したピストン７を含む充填部材４を繰り戻したものである。
【００６８】
そして、図３に示すようにピストン７が前進限に達していない状態で充填部材４が繰り戻されて充填領域４ｘに塗布用充填物Ｌが残っている場合には、この塗布用充填物Ｌを使用状態にすべく、使用者により再度本体筒１と先筒３とが繰り出し方向に相対回転される。すると、先筒３の螺旋溝３ｂの後端から外れて螺合が解除されバネ部５ｄにより先筒３の段差面３ｅに対して押し付けられている充填部材用移動体５の螺合突起５ｅが、先筒３の螺旋溝３ｂに螺合復帰し第一の螺合部８の螺合作用が再度作動する。
【００６９】
この繰り出し方向の相対回転が続けられると、前述したように、先に働く第一の螺合部８の螺合作用によりピストン７を含む充填部材４が前進し塗布部４ａが先筒３内から出現して充填部材４が前進限に達し、この繰り出し方向の相対回転が続けられると、第二の螺合部９の螺合作用によりピストン７が前進し、この時、塗布用充填物Ｌは前述のように吐出口４ｃの辺りに進出した状態にあるため、ピストン７により塗布用充填物Ｌが即座に使用状態にされる。そして、使用後は上記と同様の動作となり、このような動作が繰り返される。
【００７０】
このように、本実施形態の塗布用充填物押出容器１００によれば、本体筒１と先筒３とが繰り出し方向（一方向）に相対回転されると、充填部材４が前進し先筒３から出現して使用位置に繰り出され、さらに繰り出し方向に相対回転されると、充填部材４の吐出口４ｃから塗布用充填物Ｌが吐出して使用状態にされ、本体筒１と先筒３とが繰り戻し方向（一方向の反対方向）に相対回転されると、充填部材４が後退し先筒３内に収容されて収容位置に戻される。具体的には、本体筒１と先筒３とが繰り出し方向に相対回転されると、先に第一の螺合部８の螺合作用が働き、ピストン用移動体６（ピストン７）を含む充填部材４が前進して塗布部４ａが先筒３内から出現し、充填部材４が前進限である使用位置に繰り出されると第一の螺合部８の螺合作用が停止し、この螺合作用の停止の状態で本体筒１と先筒３とが繰り出し方向にさらに相対回転されると今度は第二の螺合部９の螺合作用が働き、ピストン用移動体６（ピストン７）が前進して塗布用充填物Ｌが使用状態にされ、使用後に本体筒１と先筒３とが繰り戻し方向に相対回転されると、先に第一の螺合部８の螺合作用が働き、ピストン用移動体６（ピストン７）を含む充填部材４が後退して塗布部４ａが先筒３内に没入して収容位置に繰り戻される。このように、充填部材４が先筒３から出没する構成とされているため、衛生面の向上及び塗布用充填物Ｌの先筒３による保護が図られると共に、使用後には全長が短くされコンパクト化される一方で使用時には適度な全長とされ取扱性及び使用性（使いやすさ）が向上され、加えて、例えば口紅等の棒状化粧料容器と同じ感覚での使用が可能とされ使用感が向上されている。
【００７１】
また、充填部材４が前進限に達し塗布部４ａが先筒３内から出現すると共にピストン用移動体６（ピストン７）の前進により塗布用充填物Ｌが吐出口４ｃから吐出されて使用状態にされた後に、本体筒１と先筒３とが繰り戻し方向に相対回転されると、先に働く第一の螺合部８の螺合作用によりピストン用移動体６（ピストン７）を含む充填部材４が後退し、塗布部４ａが先筒３内に収容される所定位置へ達すると、第一の螺合部８の螺合が解除されて第二の螺合部９の螺合作用が働かないように本体筒１と先筒３とが空転し、この空転によりピストン用移動体６（ピストン７）が後退しないようにして塗布用充填物Ｌを吐出口４ｃの辺りに進出した状態とし、本体筒１と先筒３とが繰り出し方向に相対回転されると、第一の螺合部８が螺合復帰してピストン用移動体６（ピストン７）を含む充填部材４が前進する構成としているため、充填部材４が前進限に達し本体筒１と先筒３との繰り出し方向へのさらなる相対回転によりピストン用移動体６（ピストン７）が前進すると、吐出口４ｃの辺りに進出した状態にある塗布用充填物Ｌが即座に使用状態にされ、使用性（使いやすさ）が向上されている。
【００７２】
なお、第一の螺合部８を螺合復帰させる他の構成としては、充填部材用移動体５のバネ部５ｄを無くすと共に、本体筒１の底部に充填部材用移動体５を前側に付勢するバネを設ける構成が挙げられる。また、充填部材用移動体５のバネ部５ｄをバネ性の無い円筒部に代え、塗布用充填物押出容器１００が図１に示す初期状態にあって充填部材用移動体５の円筒部の後端面が本体筒１の底部に当接し充填部材４が後退限に達している時に、充填部材用移動体５の螺合突起５ｅが先筒３の螺旋溝３ｂに収容されている構成を採用しても良い。この構成によれば、充填部材用移動体５の円筒部の後端面が本体筒１の底部に当接し充填部材４が後退限に達している状態で、本体筒１と先筒３とが繰り戻し方向にさらに相対回転されると、先筒３が先筒押え部材２のバネ部２ｄの付勢力に抗して前側に移動し、これにより、充填部材用移動体５の螺合突起５ｅが先筒３の螺旋溝３ｂの後端から外れて螺合が解除され、この状態で、先筒３の鍔部３ａが先筒押え部材２のバネ部２ｄにより後方へ付勢され、充填部材用移動体５の螺合突起５ｅが、前述した充填部材用移動体５のバネ部５ｄによる場合と同様に、先筒３の段差面３ｅに対して押し付けられることになる。従って、本体筒１と先筒３とが繰り出し方向に相対回転されると、第一の螺合部８の螺合復帰が可能となる。
【００７３】
また、本実施形態の塗布用充填物押出容器１００によれば、本体筒１内に収容され軸線方向に伸縮可能なバネ部２ｄを含む先筒押え部材２を具備し、先筒３は、先筒押え部材２のバネ部２ｄにより後側に付勢された状態で当該先筒押え部材２を介して本体筒１に回転可能に装着されているため、先筒押え部材２のバネ部２ｄにより、本体筒１と先筒３との相対回転時に好感覚な回転抵抗が与えられると共に、例えば容器１００の落下等により作用する衝撃や振動等の外力が緩衝され塗布用充填物Ｌの吐出口４ｃからの漏出が防止され且つ部材の破壊が防止されている。
【００７４】
また、第二の螺合部９のリードに比して第一の螺合部８のリードが大きくされているため、本体筒１と先筒３との繰り出し方向への相対回転により、第一の螺合部８の螺合作用が働く充填部材４が、大きいリードに従い素早く使用位置に繰り出されて、塗布部４ｃが先筒３内から出現し、さらなる本体筒１と先筒３との繰り出し方向への相対回転により、第二の螺合部９の螺合作用が働くピストン用移動体６（ピストン７）が、小さいリードに従いゆっくりと繰り出され塗布用充填物Ｌが適度に充填部材４の吐出口４ｃから吐出して使用状態にされ、使用後には、本体筒１と先筒３との繰り戻し方向への相対回転により、充填部材４が、大きいリードに従い素早く繰り戻されて、塗布部４ａが先筒３内に没入して収容位置に後退し、その結果、使用性（使いやすさ）が一層向上されている。
【００７５】
なお、本実施形態においては、弾性部の弾性力を利用して第二の螺合部９の作動抵抗を上げるようにしているが、作動抵抗を上げる他の構成として、例えば、材質を異ならせることや、螺子の接触抵抗を異ならせる等が挙げられる。
【００７６】
また、第二の螺合部９の作動抵抗を上げるさらに他の構成としては、例えば、ピストン７の軸線方向の摺動抵抗による構成も挙げられる。
【００７７】
また、本実施形態においては、第一の螺合部８の螺合作用が第二の螺合部９の螺合作用より確実に先に働くように、第一の螺合部８の作動抵抗に比して第二の螺合部９の作動抵抗を上げるようにしているが、本実施形態のように、第二の螺合部９のリードに比して第一の螺合部８のリードを大きくしていれば、第一の螺合部８の螺合作用が第二の螺合部９の螺合作用より先に働くことになる。
【００７８】
また、このように第二の螺合部９のリードに比して第一の螺合部８のリードを大きくすることで、充填部材４の先筒３に対する出没を素早くする一方で、ピストン用移動体６（ピストン７）による塗布用充填物Ｌの吐出を適度にゆっくりとし、ピストン用移動体６（ピストン７）より充填部材４が速く移動するようにしているが、第一の螺合部８のリードと第二の螺合部９のリードとを同じとし充填部材４とピストン用移動体６（ピストン７）の移動速度を同じとすることも可能である。この場合には、前述のように、第一の螺合部８の作動抵抗に比して第二の螺合部９の作動抵抗を上げる構成のように、第一の螺合部８の螺合作用が第二の螺合部９の螺合作用より先に働く構成の採用が必要とされる。なお、第二の螺合部９のリードに比して第一の螺合部８のリードを小さくすれば、充填部材４よりピストン用移動体６（ピストン７）を速く移動させることが可能である。
【００７９】
因みに、充填部材４の外面４ａに、例えば発泡ウレタンや微細なネット状材等の多孔質材を設けこれを塗布部としても良く、また、外面４ａに細毛等を設けこれを塗布部としても良く、また、先細のテーパー加工されたポリエステル繊維を束ねて成るブラシを取り付けこれを塗布部としても良い。
【００８０】
図２９は、本発明の第二実施形態に係る塗布用充填物押出容器を示す縦断面図であり、使用者の操作により充填部材が最大に前進し続いてピストンが前進し使用状態とした時の状態図である。
【００８１】
この第二実施形態の塗布用充填物押出容器２００が第一実施形態の塗布用充填物押出容器１００と違う点は、外面４ａが塗布部とされた充填部材４に代えて、先端部に塗布体１７を備えた充填部材１８を用いた点である。この塗布体１７は、例えばゴム材又はエラストマー材等より成る弾性体であり、中央部付近が盛り上がるように湾曲する湾曲円板状の塗布部１７ａと、この塗布部１７ａの周縁側の裏面に後側に突出するように連設された環状の装着部１７ｂと、を備えている。
【００８２】
塗布部１７ａには、その内面と外面とを連通し、塗布用充填物Ｌを吐出するための吐出口１７ｃが設けられ、装着部１７ｂには、塗布部１７ａ側の根元位置の外周面に軸心側へ凹む環状溝部１７ｄが、充填部材１８の先端部の開口１８ｃを形成する周縁部１８ｄに係合するものとして設けられている。また、塗布部１７ａの外面には、疣状の突部１７ｅが複数設けられている。
【００８３】
この塗布体１７は、その装着部１７ｂを軸心側に撓ませて充填部材１８の開口１８ｃに内挿され、当該装着部１７ｂの後端部が充填部材１８内に進入し、その環状溝部１７ｄが、充填部材１８の開口１８ｃを形成する周縁部１８ｄに係合することで、充填部材１８に離脱不能に装着されて開口１８ｃに位置する構成とされている。そして、他の構成は、第一実施形態と同様である。
【００８４】
このように、充填部材１８の先端部に塗布体１７を有する構成としても、第一実施形態と同様に、充填部材１８が、その先端部に吐出口１７ｃを有し当該吐出口１７ｃを通して吐出される塗布用充填物Ｌを被塗布部に塗布するための塗布部１７ａを備える構成であることに変わりは無く、従って、第一実施形態と同様な作用・効果を奏する。
【００８５】
なお、突部１７ｅは無くても良く、また、吐出口１７ｃは複数でも良く、また、塗布体１７を、例えば発泡ウレタンや微細なネット状材等の多孔質材による弾性体としても良く、この場合には、多孔部分が吐出口となる。
【００８６】
図３０は、本発明の第三実施形態に係る塗布用充填物押出容器を示す横断面図であり、図１のXXX-XXX矢示に対応する矢示図である。
【００８７】
この第三実施形態の塗布用充填物押出容器３００が第一実施形態の塗布用充填物押出容器１００と違う点は、ピストン７を繰り出す際の本体筒１と先筒３の相対回転に同期してクリック感を付与するクリック係合部１９を設けた点である。このクリック係合部１９は、充填部材用移動体５、ピストン用移動体６に代えて用いる充填部材用移動体２０、ピストン用移動体２１に各々設けられたクリック係合突部２０ｄ、クリック係合溝２１ａと、Ｏリング１１とにより構成される。
【００８８】
ピストン用移動体２１には、その外周面の円周方向の等配位置に、軸線方向に延在する複数のクリック係合溝２１ａが設けられると共に、第二の螺合部９の一方を構成する雄螺子２１ｂが、クリック係合溝２１ａを横切り円弧状を成して軸線方向に連続するように設けられている。このクリック係合溝２１ａは、雄螺子２１ｂの軸線方向の形成範囲に亘って設けられている。
【００８９】
充填部材用移動体２０は、先端の外径小径部２０ａに先端からスリットが設けられて周方向に沿って四分割され、対向する一方の分割片（図示左右方向の分割片）２０ｂ，２０ｂの円弧状の内周面の前半部に、第二の螺合部９の他方を構成し雄螺子２１ｂに螺合する雌螺子２０ｊ，２０ｊを備えると共に、対向する他方の分割片（図示上下方向の分割片）２０ｃ，２０ｃの円弧状の内周面に、クリック係合溝２１ａとクリック係合するクリック係合突部２０ｄ，２０ｄを備えている。
【００９０】
これら四個の分割片２０ｂ，２０ｃは、これらの外周面に設けられた円弧状の溝部２０ｍに嵌着されているＯリング１１により締め付けられている。従って、第一実施形態と同様に、第二の螺合部９の作動抵抗が上げられている。また、クリック係合突部２０ｄは、Ｏリング１１の弾性力を利用してクリック係合溝２１ａに付勢されており、クリック係合突部２０ｄとクリック係合溝２１ａの好適なクリック係合が実現されている。そして、他の構成は、第一実施形態と同様である。
【００９１】
このようなクリック係合部１９を有する塗布用充填物押出容器３００によれば、使用者による本体筒１と先筒３との繰り出し方向への相対回転により充填部材４が前進限に達し本体筒１と先筒３とが繰り出し方向にさらに相対回転されると、第二の螺合部９を構成するピストン用移動体２１の雄螺子２１ｂ及び充填部材用移動体２０の雌螺子２０ｊにより、ピストン用移動体２１（ピストン７）が前進し、このピストン用移動体２１（ピストン７）の前進に伴って、クリック係合部１９を構成するクリック係合突部２０ｄ，クリック係合溝２１ａ同士がクリック係合を繰り返すため、使用者には適度なクリック感が与えられ、繰り出し方向の相対回転の度合いやピストン用移動体２１（ピストン７）の前進具合が使用者に感知され、塗布用充填物Ｌが適量吐出されるようになる。なお、この第三実施形態の構成は、塗布部を第二実施形態のように塗布体とした構成にも勿論適用できる。
【００９２】
図３１は、本発明の第四実施形態に係る塗布用充填物押出容器を示す横断面図であり、図３０に対応する矢示図である。
【００９３】
この第四実施形態の塗布用充填物押出容器４００が第三実施形態の塗布用充填物押出容器３００と違う点は、充填部材用移動体２０のクリック係合突部２０ｄをラチェット歯２０ｘに代えると共に、ピストン用移動体２１のクリック係合溝２１ａを、ラチェット歯２０ｘに噛合するラチェット溝２１ｘに代え、これらのラチェット歯２０ｘ及びラチェット溝２１ｘを本体筒１と先筒３の繰り出し方向の相対回転を許容する形状として、これらのラチェット歯２０ｘ、ラチェット溝２１ｘ及びＯリング１１によりラチェット機構１９ｘを構成した点である。このラチェット機構１９ｘは、第二の螺合部９による螺合作用が働く際の本体１と先筒３との繰り戻し方向の相対回転を規制し、繰り出し方向の相対回転のみを許容するものである。そして、他の構成は、第三実施形態と同様である。
【００９４】
このラチェット機構１９ｘにあっても、第三実施形態と同様に、Ｏリング１１により、第二の螺合部９の作動抵抗が上げられていると共に、ラチェット歯２０ｘとラチェット溝２１ｘの好適な噛合が実現されている。
【００９５】
このようなラチェット機構１９ｘを有する塗布用充填物押出容器４００によれば、本体筒１と先筒３との繰り出し方向への相対回転により第二の螺合部９の螺合作用が働いてピストン用移動体２１（ピストン７）が前進する際に、ラチェット機構１９ｘを構成するラチェット歯２０ｘ、ラチェット溝２１ｘ同士が噛合（係脱）を繰り返すため、使用者には適度な抵抗感（クリック感）が与えられ、第三実施形態とほぼ同様に、繰り出し方向の相対回転の度合いやピストン用移動体２１（ピストン７）の前進具合が使用者に感知され、塗布用充填物Ｌが適量吐出されるようになる。
【００９６】
図３２は、本発明の第五実施形態に係る塗布用充填物押出容器を示す縦断面図であり、使用者の使用後の操作により充填部材が最大に後退し続いてピストンが最大に後退した時の状態図、図３３は、本発明の第五実施形態に係る塗布用充填物押出容器を示す一部破断斜視図であり、使用者の使用後の操作により充填部材が最大に後退し続いてピストンが最大に後退する直前の状態図、図３４は、図３３の要部拡大図である。
【００９７】
この第五実施形態の塗布用充填物押出容器５００が第一実施形態の塗布用充填物押出容器１００と違う点は、充填部材用移動体５のバネ部５ｄをバネ性の無い円筒部２２ｄに代えた充填部材用移動体２２を用いると共に、先筒３の螺旋溝３ｂを筒後端まで延びる螺旋溝２３ｂに代えた先筒２３を用い、塗布用充填物押出容器５００が図３２に示す初期状態にあって充填部材用移動体２２の後端面が本体筒１の底部に当接し充填部材４が後退限に達している時に、充填部材用移動体２２の螺合突起５ｅが、先筒２３の螺旋溝２３ｂ内に収容されるように構成した点である。
【００９８】
また、この第五実施形態の塗布用充填物押出容器５００にあっては、当該塗布用充填物押出容器５００が図３２に示す初期状態にある時に、ピストン用移動体６の後端面が本体筒１の底部に至る構成とされ、ピストン用移動体６の後端部及び本体筒１の底部に、軸体１ｂの捩切れを防止する軸体捩切れ防止機構が設けられている。
【００９９】
この軸体捩切れ防止機構を有する本体筒１は、図６〜図９、図３２〜図３４に示すように、その底面で軸体１ｂの周縁に、先端側に短尺に突出し、ピストン用移動体６の最大後退時において当該ピストン用移動体６に回転方向に係合するための突部１ｇを備えている。この突部１ｇが、軸体捩切れ防止機構の一方を構成するもので、図６〜図９に示すように、軸体１ｂの各突条１ｃの後端部に連ねて設けられている。
【０１００】
また、軸体捩切れ防止機構を有するピストン用移動体６は、図１５〜図１８、図３２〜図３４に示すように、後端面の周方向に沿って六等配の位置に、先端側に短尺にへこみピストン用移動体６の内外を連通する溝６ｆを備えている。これらの溝６ｆが、軸体捩切れ防止機構の他方を構成するもので、ピストン用移動体６の最大後退時において本体筒１の突部１ｇに進入し回転方向に係合する。
【０１０１】
また、この塗布用充填物押出容器５００にあっては、先筒押え部材２のバネ部２ｄをバネ性の無い円筒部９２ｄに代えた先筒押え部材９２が用いられている。このように先筒押え部材２のバネ部２ｄをバネ性の無い円筒部９２ｄに代えているのは、充填部材用移動体５のバネ部５ｄをバネ性の無い円筒部２２ｄに代えたため、充填部材用移動体２２の円筒部２２ｄの後端面が本体筒１の底部に当接し充填部材４が後退限に達している状態で、本体筒１と先筒２３とが繰り戻し方向にさらに相対回転されると、先筒２３が先筒押え部材２のバネ部２ｄの付勢力に抗して前側に移動し、これにより、充填部材用移動体２２の螺合突起５ｅが先筒２３の螺旋溝２３ｂの後端から外れて螺合が解除されてしまい、繰り出し方向への第二の螺合部９の螺合作用を働かすことができないからである。また、この変更に伴って、先筒２３の後端の鍔部２３ａの前側の面と先筒押え部材９２の後側の面との間には、Ｏリング９９が配置されている。このＯリング９９により、先筒２３と本体筒１には、より良い回転抵抗が発生する。そして、他の構成は第一実施形態と同様である。
【０１０２】
このような構成を有する塗布用充填物押出容器５００によれば、図３２に示す初期状態において、使用者により本体筒１と先筒２３とが繰り出し方向に相対回転されると、既に充填部材用移動体２２の螺合突起５ｅが、先筒２３の螺旋溝２３ｂに螺合しているため、第一の螺合部８が構成されて先に螺合作用が働く。以降は、第一実施形態と同様な動作となり、さらなる繰り出し方向への相対回転により、充填部材４が前進限に達し、ピストン用移動体６（ピストン７）が前進して塗布用充填物Ｌが吐出口４ｃから吐出されて使用状態にされ、使用後の本体筒１と先筒２３との繰り戻し方向への相対回転により、ピストン用移動体６（ピストン７）を含む充填部材４が後退し充填部材４及びその塗布部４ａが先筒２３内に没入する。
【０１０３】
そして、充填部材用移動体２２の後端面が本体筒１の底部に当接し充填部材４が後退限に達すると、充填部材用移動体２２の螺合突起５ｅのそれ以上の後退が阻止され、第一の螺合部８の螺合作用が停止する。
【０１０４】
続けて本体筒１と先筒２３とが繰り戻し方向へ相対回転されると、第一の螺合部８の螺合作用が停止しているため、第二の螺合部９の螺合作用が働き、回り止め部５０との協働により、ピストン用移動体６及びピストン７が後退する。
【０１０５】
この時、ピストン７の後退により、充填部材４の吐出口４ｃから塗布用充填物Ｌが充填領域４ｘに吸引されると共に、図３２に示すように、充填部材４の吐出口４ｃより内側に所定の空間Ａが形成される。従って、塗布部４ａに残る塗布用充填物Ｌが少なくされて経済的であると共に、充填領域４ｘに充填された塗布用充填物Ｌ及び当該塗布用充填物Ｌに混入する空気が、温度変化や気圧の変化により膨張しても、上記吐出口４ｃより内側に設けられた所定の空間Ａにより、塗布用充填物Ｌの吐出口４ｃからの漏出が防止される。
【０１０６】
ここで、本実施形態では、ピストン７が後進可能であるため、図３２に示す最大後退位置にあるピストン用移動体６にそれ以上後退させようとする相対回転力が使用者により付与されると、このピストン用移動体６に係合する軸体１ｂが本体筒１の底面において捩切れる虞がある。
【０１０７】
しかしながら、本実施形態にあっては、ピストン用移動体６の最大後退時において本体筒１の底面の複数の突部１ｇとピストン用移動体６の後端面の複数の溝６ｆとが回転方向に係合するため、軸体１ｂに作用するそれ以上ピストン用移動体６を後退させようとする回転力は、ピストン用移動体６の溝６ｆを介して本体筒１の突部１ｇにも与えられて分散され、軸体１ｂｃの捩切れが防止されている。そして、使用者により本体筒１と先筒２３とが繰り出し方向に相対回転されると、上記と同様な動作と同様の動作となり、このような動作が繰り返される。
【０１０８】
なお、軸体１ｂの捩切れを防止するためのピストン用移動体６の溝６ｆに代えて凹部を設け、当該凹部が本体筒１の突部１ｇに回転方向に係合する構成としても良く、また、軸体捩切れ防止機構の他の例として、上記の軸体捩切れ防止機構とは逆に、ピストン用移動体６の後端面に、後方に突出する凸部を周方向に沿って複数箇所設け、本体筒１の底面で軸体１ｂの周縁に、ピストン用移動体６の最大後退時において当該ピストン用移動体６の凸部が進入し回転方向に係合する凹部を複数設けるようにしても良い。なお、この第五実施形態の構成は、塗布部を第二実施形態のように塗布体とした構成にも勿論適用できる。
【０１０９】
また、この塗布用充填物押出容器５００に第三実施形態で説明したクリック係合部１９を採用することも可能である。このクリック係合部１９を採用すると、本体筒１と先筒２３との繰り出し方向／繰り戻し方向への相対回転により第二の螺合部９の螺合作用が働いてピストン７が前進／後退する際に、クリック係合部１９を構成するクリック係合溝２１ａ、クリック係合突部２０ｄ同士がクリック係合を繰り返し、使用者にはクリック感が与えられるため、繰り出し方向／繰り戻し方向の相対回転の度合いやピストン用移動体６（ピストン７）の移動具合が使用者に感知され、繰り出し方向に相対回転する場合には塗布用充填物Ｌが適量吐出されるようになり、繰り戻し方向に相対回転する場合にはピストン用移動体６（ピストン７）の戻し過ぎが防止される。
【０１１０】
以上、本発明をその実施形態に基づき具体的に説明したが、本発明は上記実施形態に限定されるものではない。例えば、雄螺子、雌螺子は、間欠的に配される突起群又は螺旋状且つ間欠的に配される突起群のように螺子山と同様な働きをするものであっても良く、また、螺合突起は、連続する螺子山であっても良い。
【０１１１】
また、上記実施形態では、充填部材４，１８が先筒３，２３に対して完全に没入して収容される構成としているが、本発明は、充填部材４，１８を後退限まで後退させても当該充填部材４，１８の先端が先筒３，２３から多少出ている構成の充填物押出容器も含み、このように構成しても充填部材が完全に没入する場合と同様な効果を得ることができる。
【図面の簡単な説明】
【０１１２】
【図１】本発明の第一実施形態に係る塗布用充填物押出容器を示す縦断面図である。
【図２】本発明の第一実施形態に係る塗布用充填物押出容器を示す縦断面図であり、使用者の操作により充填部材が最大に前進した時の状態図である。
【図３】本発明の第一実施形態に係る塗布用充填物押出容器を示す縦断面図であり、使用者の操作により充填部材が最大に前進し続いてピストンが前進し使用状態とした時の状態図である。
【図４】本発明の第一実施形態に係る塗布用充填物押出容器を示す縦断面図であり、使用者の操作により充填部材が最大に前進し続いてピストンが最大に前進した時の状態図である。
【図５】本発明の第一実施形態に係る塗布用充填物押出容器を示す縦断面図であり、使用者の使用後の操作により充填部材が最大に後退した時の状態図である。
【図６】図１〜図５中の本体筒を示す一部断面側面図である。
【図７】図６に示す本体筒の縦断面図である。
【図８】図６に示す本体筒の断面斜視図である。
【図９】図６に示す本体筒の左側面図である。
【図１０】図１〜図５中の先筒押え部材を示す斜視図である。
【図１１】図１〜図５中の先筒押え部材を示す側面図である。
【図１２】図１１に示す先筒押え部材の下面図である。
【図１３】図１２のXIII-XIII矢視図である。
【図１４】図１〜図５中の先筒を示す縦断面図である。
【図１５】図１〜図５中のピストン用移動体を示す側面図である。
【図１６】図１５に示すピストン用移動体の縦断面図である。
【図１７】図１５に示すピストン用移動体の縦断斜視図である。
【図１８】図１５に示すピストン用移動体の右側面図である。
【図１９】図１〜図５中の充填部材用移動体を示す斜視図である。
【図２０】図１〜図５中の充填部材用移動体を示す側面図である。
【図２１】図２０に示す充填部材用移動体の縦断面図である。
【図２２】図２０に示す充填部材用移動体の左側面図である。
【図２３】図１〜図５中のピストンを示す縦断面図である。
【図２４】図１〜図５中の充填部材を示す側面図である。
【図２５】図２４のXXV-XXV矢視図である。
【図２６】本発明の第一実施形態に係る塗布用充填物押出容器の組立手順を示す分解斜視図である。
【図２７】本体側組立体に充填部材を装着する際の一例を示す状態説明図である。
【図２８】本体側組立体に充填部材を装着する際の他の例を示す状態説明図である。
【図２９】本発明の第二実施形態に係る塗布用充填物押出容器を示す縦断面図であり、使用者の操作により充填部材が最大に前進し続いてピストンが前進し使用状態とした時の状態図である。
【図３０】本発明の第三実施形態に係る塗布用充填物押出容器を示す横断面図であり、図１のXXX-XXX矢示に対応する矢示図である。
【図３１】本発明の第四実施形態に係る塗布用充填物押出容器を示す横断面図であり、図３０に対応する矢示図である。
【図３２】本発明の第五実施形態に係る塗布用充填物押出容器を示す縦断面図であり、使用者の使用後の操作により充填部材が最大に後退し続いてピストンが最大に後退した時の状態図である。
【図３３】本発明の第五実施形態に係る塗布用充填物押出容器を示す一部破断斜視図であり、使用者の使用後の操作により充填部材が最大に後退し続いてピストンが最大に後退する直前の状態図である。
【図３４】図３３の要部拡大図である。
【符号の説明】
【０１１３】
１…本体筒、２…先筒押え部材、２ｄ…先筒押え部材のバネ部、３，２３…先筒、３ｂ，２３ｂ…先筒の螺旋溝（第一の螺合部）、３ｆ…螺合突起の前進限、４，１８…充填部材、４ａ，１７ａ…塗布部、４ｃ，１７ｃ…吐出口、４ｘ…充填領域、５，２０，２２…充填部材用移動体、５ｅ…充填部材用移動体の螺合突起（第一の螺合部）、５ｊ，２０ｊ…充填部材用移動体の雌螺子（第二の螺合部）、６，２１…ピストン用移動体、６ｂ，２１ｂ…ピストン用移動体の雄螺子（第二の螺合部）、７…ピストン、８…第一の螺合部、９…第二の螺合部、１１…Ｏリング（弾性部；リング状の弾性体）、１７…塗布体、１９…クリック係合部、１９ｘ…ラチェット機構、２０ｄ…クリック係合突部、２０ｘ…ラチェット歯、２１ａ…クリック係合溝、２１ｘ…ラチェット溝、２２ｄ…円筒部、１００，２００，３００，４００，５００…塗布用充填物押出容器、Ａ…所定の空間、Ｌ…塗布用充填物。
【図１】
2006305299.tif 000003
【図２】
2006305299.tif 000004
【図３】
2006305299.tif 000005
【図４】
2006305299.tif 000006
【図５】
2006305299.tif 000007
【図６】
2006305299.tif 000008
【図７】
2006305299.tif 000009
【図８】
2006305299.tif 000010
【図９】
2006305299.tif 000011
【図１０】
2006305299.tif 000012
【図１１】
2006305299.tif 000013
【図１２】
2006305299.tif 000014
【図１３】
2006305299.tif 000015
【図１４】
2006305299.tif 000016
【図１５】
2006305299.tif 000017
【図１６】
2006305299.tif 000018
【図１７】
2006305299.tif 000019
【図１８】
2006305299.tif 000020
【図１９】
2006305299.tif 000021
【図２０】
2006305299.tif 000022
【図２１】
2006305299.tif 000023
【図２２】
2006305299.tif 000024
【図２３】
2006305299.tif 000025
【図２４】
2006305299.tif 000026
【図２５】
2006305299.tif 000027
【図２６】
2006305299.tif 000028
【図２７】
2006305299.tif 000029
【図２８】
2006305299.tif 000030
【図２９】
2006305299.tif 000031
【図３０】
2006305299.tif 000032
【図３１】
2006305299.tif 000033
【図３２】
2006305299.tif 000034
【図３３】
2006305299.tif 000035
【図３４】
2006305299.tif 000036
【手続補正書】
【提出日】平成18年2月21日(2006.2.21)
【手続補正１】
【補正対象書類名】特許請求の範囲
【補正対象項目名】請求項１
【補正方法】変更
【補正の内容】
【請求項１】
本体と、
この本体の先端側に相対回転可能に装着された先筒と、
この先筒内に進入し、内部が充填領域とされて塗布用充填物が充填されると共に、先端部に吐出口を有し当該吐出口を通して吐出される前記塗布用充填物を被塗布部に塗布するための塗布部を備えた充填部材と、を具備し、
前記本体と前記先筒とが一方向に相対回転されると、第一の螺合部の螺合作用が働き前記充填部材が前進し、さらに前記一方向に相対回転されると、前記第一の螺合部とは別の第二の螺合部の螺合作用が働き前記充填部材の前記吐出口から前記塗布用充填物が吐出し、
前記本体と前記先筒とが前記一方向の反対方向である他方向に相対回転されると、前記第一の螺合部の螺合作用が働き前記充填部材が後退することを特徴とする塗布用充填物押出容器。
【手続補正２】
【補正対象書類名】特許請求の範囲
【補正対象項目名】請求項２
【補正方法】変更
【補正の内容】
【請求項２】
前進することで前記充填領域の前記塗布用充填物を前記吐出口に向けて押し出す移動体を備え、
前記第一の螺合部は、前記本体と前記先筒とが前記一方向である繰り出し方向／前記他方向である繰り戻し方向に相対回転されると先に螺合作用が働き、前記移動体を含む前記充填部材を前進／後退させると共に、前記充填部材が前進限に達すると螺合作用が停止し、
前記第二の螺合部は、前記充填部材が前進限に達し前記第一の螺合部の螺合作用が停止した状態で前記本体と前記先筒とが前記一方向である繰り出し方向にさらに相対回転されると螺合作用が働き、前記移動体を前進させることを特徴とする請求項１記載の塗布用充填物押出容器。
【手続補正３】
【補正対象書類名】明細書
【補正対象項目名】０００５
【補正方法】変更
【補正の内容】
【０００５】
本発明による塗布用充填物押出容器は、本体と、この本体の先端側に相対回転可能に装着された先筒と、この先筒内に進入し、内部が充填領域とされて塗布用充填物が充填されると共に、先端部に吐出口を有し当該吐出口を通して吐出される塗布用充填物を被塗布部に塗布するための塗布部を備えた充填部材と、を具備し、本体と先筒とが一方向に相対回転されると、第一の螺合部の螺合作用が働き充填部材が前進し、さらに一方向に相対回転されると、第一の螺合部とは別の第二の螺合部の螺合作用が働き充填部材の吐出口から塗布用充填物が吐出し、本体と先筒とが一方向の反対方向である他方向に相対回転されると、第一の螺合部の螺合作用が働き充填部材が後退することを特徴としている。
【手続補正４】
【補正対象書類名】明細書
【補正対象項目名】０００６
【補正方法】変更
【補正の内容】
【０００６】
このような塗布用充填物押出容器によれば、本体の先端側に先筒が相対回転可能に装着され、この先筒内に、内部の充填領域に塗布用充填物が充填されると共に先端部に吐出口を有し当該吐出口を通して吐出される塗布用充填物を被塗布部に塗布するための塗布部を備えた充填部材が進入する構成とされ、本体と先筒とが一方向に相対回転されると、第一の螺合部の螺合作用が働き充填部材が前進して使用位置に繰り出され、さらに一方向に相対回転されると、第一の螺合部とは別の第二の螺合部の螺合作用が働き充填部材の吐出口から塗布用充填物が吐出して使用状態にされ、本体と先筒とが一方向の反対方向に相対回転されると、第一の螺合部の螺合作用が働き充填部材が後退する。このように、塗布用充填物が充填された充填部材が進退するため、充填部材が使用時には先筒内から出現し使用後には先筒内に没入する構成とすることができる。このため、衛生面の向上及び塗布用充填物の先筒による保護が図られると共に、使用後には全長が短くされコンパクト化される一方で使用時には適度な全長とされ取扱性及び使用性（使いやすさ）が向上され、加えて、例えば口紅等の棒状化粧料容器と同じ感覚での使用が可能とされ使用感が向上される。
【手続補正５】
【補正対象書類名】明細書
【補正対象項目名】０００７
【補正方法】変更
【補正の内容】
【０００７】
ここで、上記作用を好適に奏する塗布用充填物押出容器の構成としては、具体的には、前進することで充填領域の塗布用充填物を吐出口に向けて押し出す移動体を備え、第一の螺合部は、本体と先筒とが一方向である繰り出し方向／他方向である繰り戻し方向に相対回転されると先に螺合作用が働き、移動体を含む充填部材を前進／後退させると共に、充填部材が前進限に達すると螺合作用が停止し、第二の螺合部は、充填部材が前進限に達し第一の螺合部の螺合作用が停止した状態で本体と先筒とが一方向である繰り出し方向にさらに相対回転されると螺合作用が働き、移動体を前進させる構成が挙げられる。
【手続補正６】
【補正対象書類名】明細書
【補正対象項目名】００７０
【補正方法】変更
【補正の内容】
【００７０】
このように、本実施形態の塗布用充填物押出容器１００によれば、本体筒１と先筒３とが繰り出し方向（一方向）に相対回転されると、第一の螺合部８の螺合作用が働き充填部材４が前進し先筒３から出現して使用位置に繰り出され、さらに繰り出し方向に相対回転されると、第一の螺合部８とは別の第二の螺合部９の螺合作用が働き充填部材４の吐出口４ｃから塗布用充填物Ｌが吐出して使用状態にされ、本体筒１と先筒３とが繰り戻し方向（一方向の反対方向）に相対回転されると、第一の螺合部８の螺合作用が働き充填部材４が後退し先筒３内に収容されて収容位置に戻される。具体的には、本体筒１と先筒３とが繰り出し方向に相対回転されると、先に第一の螺合部８の螺合作用が働き、ピストン用移動体６（ピストン７）を含む充填部材４が前進して塗布部４ａが先筒３内から出現し、充填部材４が前進限である使用位置に繰り出されると第一の螺合部８の螺合作用が停止し、この螺合作用の停止の状態で本体筒１と先筒３とが繰り出し方向にさらに相対回転されると今度は第二の螺合部９の螺合作用が働き、ピストン用移動体６（ピストン７）が前進して塗布用充填物Ｌが使用状態にされ、使用後に本体筒１と先筒３とが繰り戻し方向に相対回転されると、先に第一の螺合部８の螺合作用が働き、ピストン用移動体６（ピストン７）を含む充填部材４が後退して塗布部４ａが先筒３内に没入して収容位置に繰り戻される。このように、充填部材４が先筒３から出没する構成とされているため、衛生面の向上及び塗布用充填物Ｌの先筒３による保護が図られると共に、使用後には全長が短くされコンパクト化される一方で使用時には適度な全長とされ取扱性及び使用性（使いやすさ）が向上され、加えて、例えば口紅等の棒状化粧料容器と同じ感覚での使用が可能とされ使用感が向上されている。